(57)【要約】【課題】２次電池を内蔵する情報処理装置において、携帯使用時の使用者が予期しない電池容量低下を防止する。【解決手段】外部電源（ＡＣアダプタ）により、長期保存モード（３０％程度の電池容量）で、電池を充電しながら情報処理装置を使用中に（ステップＳ１１）、外部電源の電力供給停止を検知すると（ステップＳ１２）、電力供給停止が発生した旨の表示を情報処理装置のディスプレイの中央部に警告表示し（ステップＳ１３）、使用者に対応を促す（ステップＳ１４）。【選択図】図２
2009159749.tif 000002
【特許請求の範囲】
【請求項１】
外部電源もしくは内蔵の２次電池で駆動される情報処理装置に搭載される前記２次電池の充電制御装置であって、前記外部電源により前記２次電池を長期保存モードを含む複数レベルの充電容量に充電する充電制御手段と、前記外部電源からの電力供給を検知する電力供給検知手段と、前記長期保存モードのレベルの充電容量で前記２次電池を充電中に、前記電力供給検知手段が前記外部電源からの電力供給が停止されたことを検知した場合、前記外部電源からの電力供給が停止された旨を通知する制御手段とを備えたことを特徴とする充電制御装置。
【請求項２】
前記情報処理装置が２次電池で駆動する場合の消費電力よりも、さらに低位の消費電力の低電力運転モードを有し、前記電力供給検知手段が前記外部電源からの電力供給が停止されたことを検知した場合、前記充電制御手段は前記電力供給が停止の期間中は、前記情報処理装置の運転モードを、前記低電力運転モードに制御することを特徴とする請求項１に記載の充電制御装置。
【請求項３】
外部電源もしくは内蔵の２次電池で駆動される情報処理装置に搭載される前記２次電池の充電制御装置であって、前記外部電源により前記２次電池を少なくとも長期保存モードを含む複数レベルの充電容量に充電する充電制御手段と、前記長期保存モードを選択して前記情報処理装置を使用し、使用を終了する操作をした際に、満充電もしくは任意のレベルの充電を促す旨のメッセージと充電実施の選択釦とをディスプレイに表示する表示制御手段とを備え、前記充電制御手段は、使用者が前記充電実施の選択釦を操作した場合は、前記２次電池を通常の充電速度よりも高速で充電する急速充電モードで充電することを特徴とする充電制御装置。
【請求項４】
外部電源もしくは内蔵の２次電池で駆動される情報処理装置に搭載される前記２次電池の充電制御方法であって、少なくとも長期保存モードを含む複数レベルの充電容量に充電制御するステップと、前記２次電池が前記長期保存モードで充電制御されていることを認識するステップと、前記外部電源からの電力供給の停止を検知するステップと、前記電力供給の停止が検知された際に、電力供給が停止された旨を通知するステップとを含むことを特徴とする充電制御方法。
【請求項５】
外部電源もしくは内蔵の２次電池で駆動される情報処理装置に搭載される前記２次電池の充電制御方法であって、少なくとも長期保存モードを含む複数レベルの充電容量に充電制御するステップと、前記２次電池が前記長期保存モードで充電制御されていることを認識するステップと、前記情報処理装置の使用を終了する操作をした際に、満充電もしくは任意のレベルの充電を促す旨のメッセージと充電実施の選択釦とをディスプレイに表示するステップと、使用者が前記充電実施の選択釦を操作した場合は前記２次電池を通常の充電速度よりも高速で充電する急速充電モードで充電するステップを含むことを特徴とする充電制御方法。
【発明の詳細な説明】
【技術分野】
【０００１】
本発明は、主として事務所で使用されるノートパソコンやＰＤＡ（携帯情報端末）などの情報処理装置に使用する２次電池の充電制御装置および充電制御方法に関する。
【背景技術】
【０００２】
情報処理装置、特にノートパソコンは、当初は主として携帯用として開発されたために、リチウムイオン電池などの２次電池（以下、「電池」とも略記する）を搭載し、オフィスにおいて、商用電源にＡＣアダプタを介して接続して電池を充電しながら使用し、外出先では充電した電池を電源として使用するように構成されている。
【０００３】
外出先でのノートパソコンを使用（以下、「携帯使用」と略記する）する場合の使用時間を長くするために、上記の電池の充電は、電池の最大容量まで充電（以下、「満充電容量」と略記する）あるいはそれに近い容量になるように充電制御されるものが一般的であった。
【０００４】
近年、ノートパソコンの省スペース性が評価され、また、必要に応じ携帯使用も可能なことから、常置型のデスクトップパソコンの一部がノートパソコンに置き換わる傾向にある。
【０００５】
ノートパソコンを主に常置型として使用する場合は、２次電池が継続的に満充電容量状態になる。リチウムイオン電池などの電池は、満充電容量状態で継続して使用すると、電池構成材質の劣化が促進され、電池容量が低下する。すなわち電池の寿命が短くなることが知られている。また、電池の最大容量の３０％程度の充電容量で使用することが電池寿命を最も延長できることも知られている。
【０００６】
満充電容量状態の継続を避ける方法としては、電池をノートパソコンから外して、商用電源からノートパソコンを駆動し、携帯使用時にはノートパソコンに電池を装着して使用する方法がある。しかしながら、この方法では使い勝手が悪かったり、瞬時停電などでＡＣ電源の供給が止まった場合は折角の作業結果が失われたりといった問題がある。
【０００７】
そこで、電池はノートパソコンに装着したままで、電池の充電レベルを、満充電容量以外の任意の充電レベルに充電制御するような電池の充電制御装置・方法が提案されている（例えば、特許文献１参照）。
【０００８】
特許文献１に示すものは、電池の充電量を満充電用利用または任意の充電容量に設定する充電モード設定手段と、電池の残存容量を検知する電池容量検知手段と、外部電源の接続を検知する外部電源検知手段と、時間を計測する計時手段と、外部電源の接続時に、充電モード設定手段で設定した充電容量、電池の残存容量、設定時間の経過に基づき、電池の充電制御、放電制御を行うようにしている。
【０００９】
これにより、使用者が使用実態に合わせて電池の充電用容量を設定することで、電池の長期に亘る満充電容量状態を回避し、かつ、携帯使用も可能にできるとしている。
【００１０】
すなわち、前述の常置的な使用の場合には、電池寿命を最も延長できる３０％（満充電容量に対する）程度の充電容量の充電モードで使用し、携帯使用が主な場合には満充電モードの充電モードで使用することで、携帯使用に対処できる。
【００１１】
また、常置的な使用の場合でも、携帯使用が発生したときには、前もって電池を満充電容量状態にすることが必要な場合がある。
【００１２】
このような場合に、電池を充電するかどうかを判断するためには、現在の電池残存容量を使用者が知る必要がある。この目的のために、現在のノートパソコンには、電池残存容量を使用者に告知する機能を搭載しているが、ディスプレイの片隅に小さく表示されている場合が多く、視認性が悪く、使用者がうっかり見逃すという問題がある。この問題に対処するための対策も提案されている（例えば、特許文献２参照）。
【００１３】
特許文献２に示すものは、２次電池を内蔵する携帯通信端末において、２次電池が充電中であることを、使用者が予め設定した画像を携帯通信端末のディスプレイ全面に亘り表示し、また、電池の容量の状態も多重表示して視認性を高めたものである。
【特許文献１】特開２００２−１９９６１６号公報
【特許文献２】特開２００４−３２０９６９号公報
【発明の開示】
【発明が解決しようとする課題】
【００１４】
しかしながら前述の特許文献１に示す方法を実施し、ノートパソコンを主として常置型とて使用した場合には次の課題が発生する。
【００１５】
すなわち、この場合は、使用者は電池寿命を最も延長できるモード（以下、「長期保存モード」と略記する）の充電を選択してノートパソコンを使用するので、使用中にＡＣアダプタの離脱が発生し、使用者がそのことに気づかずノートパソコンの使用を終了した場合には次のような問題が起きる。すなわち、ＡＣアダプタの離脱中に、３０％に充電された電池がノートパソコンに消費されて、電池の残存容量が３０％以下、場合によっては、ほとんどゼロになることがある。この状態では携帯使用時の使用時間が短縮されるか、もしくは不可能になる事態が発生する。なお、ここでのＡＣアダプタの離脱とは、ノートパソコンへの給電プラグの離脱や商用電源コンセントへの差し込みプラグの離脱であり、場合によっては停電も含まれる。
【００１６】
また、電池が３０％の残存容量であっても、最近のノートパソコンは省エネルギー化されていて２〜３時間の携帯使用が可能であるが、それ以上の使用時間が必要な場合は、３０％以上の残存容量、あるいは満充電容量にまで電池を充電する必要がある。長時間の携帯使用が予定されているにもかかわらず、使用者が、充電モードが長期保存モードに設定していることを忘れていて電池の充電を怠ると、予定の使用時間に携帯使用ができない。
【００１７】
本発明は上記課題を解決するためになされたものであり、ノートパソコンを常置してＡＣ電源で使用する場合に、電池寿命を低下させることなくかつ使用者が予期しない電池容量低下を防止できる充電制御装置および充電制御方法を提供することを目的とする。
【課題を解決するための手段】
【００１８】
上記目的を達成するために、本発明の充電制御装置は、外部電源もしくは内蔵の２次電池で駆動される情報処理装置に搭載される２次電池の充電制御装置であって、外部電源により２次電池を長期保存モードを含む複数レベルの充電容量に充電する充電制御手段と、外部電源からの電力供給を検知する電力供給検知手段と、長期保存モードのレベルの充電容量で２次電池を充電中に、電力供給検知手段が外部電源からの電力供給が停止されたことを検知した場合、外部電源からの電力供給が停止された旨を通知する制御手段とを備えたことを特徴とする。
【００１９】
このことにより、長期保存モードの充電を選択してノートパソコンを使用しているときに、ＡＣアダプタなどの外部電源からの電源供給がプラグの離脱などで停止した場合、そのことを使用者は即座に認知することができ、適切な対応をして電池容量が空になることを防止できる。このため不意の予定が発生しても、情報処理装置をそのまま携行して、外出先で所定の時間使用することができる。
【００２０】
また本発明の充電制御装置は、情報処理装置が２次電池で駆動する場合の消費電力よりも、さらに低位の消費電力の低電力運転モードを有し、電力供給検知手段が外部電源からの電力供給が停止されたことを検知した場合、充電制御手段は電力供給が停止の期間中は、情報処理装置の運転モードを、低電力運転モードに制御してもよい。
【００２１】
このことにより、ＡＣアダプタなどの外部電源からの電源供給がプラグの離脱などで停止した場合に発生する電池の残存容量の低下速度を緩和できる。
【００２２】
本発明の充電制御装置は、外部電源もしくは内蔵の２次電池で駆動される情報処理装置に搭載される２次電池の充電制御装置であって、外部電源により２次電池を少なくとも長期保存モードを含む複数レベルの充電容量に充電する充電制御手段と、長期保存モードを選択して情報処理装置を使用し、使用を終了する操作をした際に、満充電もしくは任意のレベルの充電を促す旨のメッセージと充電実施の選択釦とをディスプレイに表示する表示制御手段とを備え、充電制御手段は、使用者が充電実施の選択釦を操作した場合は、２次電池を通常の充電速度よりも高速で充電する急速充電モードで充電することを特徴とする。
【００２３】
このことにより、情報処理装置を携帯して使用する必要が発生した際、使用者は、長期保存モードの充電を選択して使用していることを認知することができ、かつ、急速の充電の要否を問われるので、急速充電を実施して外出先での長時間の携帯使用が可能になる。
【００２４】
本発明の充電制御方法は、外部電源もしくは内蔵の２次電池で駆動される情報処理装置に搭載される２次電池の充電制御方法であって、少なくとも長期保存モードを含む複数レベルの充電容量に充電制御するステップと、２次電池が長期保存モードで充電制御されていることを認識するステップと、外部電源からの電力供給の停止を検知するステップと、電力供給の停止が検知された際に、電力供給が停止された旨を通知するステップとを含むことを特徴とする。
【００２５】
本発明の充電制御方法は、外部電源もしくは内蔵の２次電池で駆動される情報処理装置に搭載される２次電池の充電制御方法であって、少なくとも長期保存モードを含む複数レベルの充電容量に充電制御するステップと、２次電池が長期保存モードで充電制御されていることを認識するステップと、情報処理装置の使用を終了する操作をした際に、満充電もしくは任意のレベルの充電を促す旨のメッセージと充電実施の選択釦とをディスプレイに表示するステップと、使用者が充電実施の選択釦を操作した場合は２次電池を通常の充電速度よりも高速で充電する急速充電モードで充電するステップを含むことを特徴とする。
【発明の効果】
【００２６】
本発明によれば、ノートパソコンを常置してＡＣ電源で使用する場合に、電池寿命を低下させることなくかつ使用者が予期しない電池容量低下を防止できる充電制御装置および充電制御方法を提供することができる。
【発明を実施するための最良の形態】
【００２７】
以下、本発明の実施の形態について図面を参照しながら詳細に説明する。
【００２８】
なお、説明の便宜上、数値を上げて説明するが、本発明はこの数値には拘束されない。
【００２９】
（実施の形態１）
図１は本実施の形態における充電制御装置を搭載した情報処理装置の電気的な構成を示すブロック図である。
【００３０】
情報処理装置１は、電池２と、充電制御装置３と、ＡＣアダプタなどの外部電源（図示しない）から電力供給を受ける給電端子４ａ、４ｂと、情報処理装置本体部５とより構成されている。
【００３１】
電池２は、その内部に、電池の充電電流もしくは放電電流を計測し、電池の残存容量を演算する計測・演算部２ａと、電池内の情報、例えば残存容量、電池電圧、電池のＩＤなどの情報を外部と通信できる通信部２ｂを備えている。
【００３２】
充電制御装置３は、マイクロコンピュータ（以下単に「マイコン」と略記する）３１と、充電制御部３２と、給電端子４ａ、４ｂに外部電源から供給される電力の供給を検知する電力供給検知部３３とで構成されている。
【００３３】
マイコン３１は、通信部２ｂと電力供給検知部３３と、情報処理装置本体部５からの情報に基づいて充電制御部３２を制御する。また、内部にはメッセージ保存部３１ａを備えている。
【００３４】
充電制御部３２は、マイコン３１の指示に基づいて、外部電源から供給される電力の一部を、情報処理装置本体部５に供給し、かつ、電池２を各種のパターンで充電制御する。各種のパターンとは、電池をどの程度の充電容量にまで充電するか、また、充電の速度を緩やかに行うのか、急速に行うのかといったことである。
【００３５】
通常、情報処理装置１を主に携帯して使用する場合は、デスクでの使用時に、電池を電池容量の最大値まで充電することが行われる（満充電）。また、充電速度も電池の寿命を延長できる緩やかな充電（例えば６〜１０時間での充電）が実施される。
【００３６】
情報処理装置１を常置型としてデスク主体で使用する場合は、電池容量の最大値の３０％程度に充電制御する長期保存モードで使用する。この場合も充電速度は緩やかな充電で実施される。
【００３７】
なお、充電制御部３２は、給電端子４ａ、４ｂに外部電源が接続されていない場合は、電池２の電力を情報処理装置本体部５に供給する機能も備えている。
【００３８】
情報処理装置本体部５は、ＣＰＵ（中央処理装置）５１を中心として、液晶表示素子などのディスプレイ５２と、ディスプレイ５２のバックライト５３、ＨＤＤ（ハードディスクドライブ）５４、ＲＡＭ５５、電源制御部５６、マウスやキーボードなどの操作部５７などにより構成されている。
【００３９】
ＣＰＵ５１は、マイコン３１と接続されていて、前述の電池を充電する各種のパターンは、ディスプレイ５２に表示されたアイコン（操作釦）を使用者がマウス５７を操作することにより、マイコン３１に伝達される。
【００４０】
また、ＣＰＵ５１は、マイコン３１の要求により、メッセージ保存部３１ａに保存したメッセージをディスプレイ５２に表示する。
【００４１】
次に、図１と図３を参照しながら、図２を用いて動作を説明する。
【００４２】
図２は本実施の形態における充電制御装置３の動作を説明するためのフローチャート、図３はディスプレイ５２上の表示の例を示す図である。
【００４３】
ステップＳ１１において、マイコン３１は、電池充電モードが長期保存モードであるかどうかをチェックする。長期保存モードであれば（Ｙｅｓの場合）、ステップＳ１２において、電力供給検知部３３の入力をチェックし、外部電源からの電力供給が停止した場合（Ｎｏの場合）は、ステップＳ１３において図３に示すような警告表示を行う。
【００４４】
図３に示すように、ディプレイ５２の中央部にダイアログ５２ａが表示され、これを見て、ステップＳ１４において、使用者はＡＣアダプタの装着状態を点検し、ＡＣアダプタの給電プラグが抜けているのであれば、給電プラグを情報処理装置１に装着する。ステップＳ１５で、マイコン３１が、給電を検知すると、ステップＳ１６で前述のダイアログ５２ａは、ディスプレイ５２から消去される。
【００４５】
以上説明したように本実施の形態の充電制御装置３は、使用者が長期保存モードに設定して電池を充電しながら情報処理装置１を使用している場合に限り、外部電源の供給停止を検知した場合には、その旨のメッセージを、即座に情報処理装置１のディスプレイ５２に表示し、使用者に外部電源の装着を促すように構成したものである。
【００４６】
従って、長期保存モードでの電池容量（約３０％）が常時確保され、不意の外出で情報処理装置１を外出先で使用しても、短時間（２〜３時間）の使用が保証される。また、メッセージとして外部電源の装着を促すのに加えて、あるいはこのメッセージに代えて情報処理装置１の使用可能時間などを表示してもよい。これにより、使用者は外出先で使用したい時間から充電すべきかどうかの判断が容易となり、緊急の場合などに不要な充電をすることによる時間ロスを無くすことができる。
【００４７】
なお、本実施の形態では、メッセージ保存部３１ａをマイコン３１の内部に設ける構成としたが、ＣＰＵ５１の内部に設ける構成であってもかまわない。
【００４８】
なお、外部電源の供給停止を使用者へ通知する手段として、ディスプレイにメッセージを表示することとして説明したが、通知手段はその他の手段でもよい。例えばアラーム音やメッセージ音声などの音声情報で使用者に通知してもよいし、情報処理装置１に備えられたＬＥＤ（図示せず）などを用いて、光の点灯、点滅で通知してもよい。
【００４９】
（実施の形態２）
実施の形態２における充電制御装置は、電池を長期保存モードに設定している場合の消費電力を削減して、情報処理装置１の使用時間を延ばすようにしたものである。
【００５０】
使用者が電池を長期保存モードに設定して電池を充電しながら情報処理装置１を使用している場合に限り、外部電源の供給停止を検知した場合には、上記電力供給が停止の期間中、すなわち図２のステップＳ１３〜ステップＳ１５までの期間は、情報処理装置１の運転モードを、２次電池で駆動する場合の消費電力よりも、さらに低位の消費電力の運転モードに制御するようにしたものである。
【００５１】
このことを、図１を参照しながら、図４の情報処理装置１の運転モードを表した図で説明する。
【００５２】
図４は、３種の情報処理装置１への給電の状態と、それぞれの給電の状態における情報処理装置１の運転モードを示している。情報処理装置１の給電が外部電源で駆動されていて、満充電もしくは満充電に近い状態で電池が充電されているときの運転モードをノーマルモード、同様に、電池で駆動されているときのモードをエコノミーモード、同じく、外部電源で駆動され、電池は３０％の長期保存モードで充電されていて、かつ、外部電源の電力供給が停止され、電池駆動に切り替わった状態のモードを長期保存モードと呼称して説明する。
【００５３】
機器運転モードがノーマルモードの場合は、バックライト５３は、使用者が設定する輝度で駆動され、通常は高輝度である。また、キーボードやマウス５７が所定時間操作されないときに情報処理装置１がスリープ状態に移行するスリープ移行時間も使用者が設定する時間である。
【００５４】
機器運転モードがエコノミーモードの場合は、バックライト５３は、中輝度程度の輝度で駆動される。また、スリープ移行時間は、例えば１０分である。
【００５５】
機器運転モードが長期保存モードの場合は、バックライト５３は、最低輝度で駆動される。また、スリープ移行時間は、例えば１分である。
【００５６】
これらの動作は、ＣＰＵ５１がマイコン３１からの情報を入手して実行する。
【００５７】
以上説明したように本実施の形態の充電制御装置は、使用者が長期保存モードに設定して電池を充電しながら情報処理装置１を使用している場合に限り、外部電源の供給停止を検知した場合、電力供給が停止の期間中は、情報処理装置１の運転モードを電池で駆動する場合の消費電力よりも、さらに低位の消費電力の運転モードに制御するように構成したものである。
【００５８】
このことにより、ＡＣアダプタなどの外部電源からの電源供給がプラグの離脱などで停止した場合に発生する電池の残存容量の低下速度を緩和できる。従って、このような場合でも情報処理装置１の使用時間を通常の電池駆動時よりもさらに延ばすことが可能となる。
【００５９】
（実施の形態３）
実施の形態３における充電制御装置は、電池を長期保存モードに設定している状態で、急な出張などにより外部電源からの電源供給がない状態で、情報処理装置１を長時間使用する必要が発生した場合に通常より速く充電が完了するようにしたものである。
【００６０】
本実施の形態を図１と図６と図７を参照しながら図５を用いて説明する。
【００６１】
図５は本実施の形態における充電制御装置の動作を説明するためのフローチャート、図６はディスプレイ５２上の表示の例を示す図、図７は急速充電制御動作を説明するための図である。
【００６２】
図５のステップＳ２１において、情報処理装置本体部５のシャットダウン操作が行われた場合、ＣＰＵ５１は、マイコン３１にその旨を伝達する。これを受けてマイコン３１は、ステップＳ２２で、充電モードが長期保存モードであるかをチェックし、長期保存モードであれば（Ｙｅｓの場合）ステップＳ２３においてメッセージ保存部３１ａに保存しているメッセージを、ＣＰＵ５１に指示してディスプレイ５２上に表示させる。図６はその表示例を示している。図６において、ディスプレイ５２の中央部にダイアログ５２ｂが表示され、この中には、電池容量が低位である旨のメッセージおよび急速充電を実施するかどうかのメッセージと、充電容量の選択釦５２ｃが用意されている。使用者がマウス５７を操作して、カーソル５２ｄを例えば１００％の表示の選択釦に合わせ、マウス５７をクリックすると（ステップＳ２４）、これを受けてマイコン３１は、ステップＳ２５において、充電制御部３２に指示し、図７に示すような急速充電動作を行う。
【００６３】
図７で特性Ａは急速充電の充電特性を示し、特性Ｂは通常の緩やかな充電特性を示している。この図面の例では、Ｂの通常の充電時間が６時間であるのに対して、Ａの急速充電は充電時間が２〜３時間である。
【００６４】
以上のようなステップＳ２５の急速充電制御の結果、ステップＳ２６で、充電完了を検知した電池２の充電完了信号を受けたマイコン３１は、ＣＰＵ５１にその信号を転送し、ＣＰＵ５１は、ステップＳ２７で情報処理装置１をシャットダウンさせる。
【００６５】
なお、ステップＳ２４で使用者が急速充電を選択しない場合は、ステップＳ２７にジャンプして、ＣＰＵ５１が情報処理装置１をシャットダウンさせる。
【００６６】
なお、ステップＳ２５で電池の急速充電中は、ディスプレイ５１上に、急速充電中である旨の表示と、電池の残存容量をリアルタイムで表示する方が望ましい（図示省略）。
【００６７】
以上説明したように、本発明の充電制御装置は、使用者が長期保存モードに設定して情報処理装置１を使用している場合に限って、使用者が情報処理装置１のシャットダウン操作をしたときに、満充電もしくは任意のレベルの充電を促す旨のメッセージと、急速充電実施の選択釦をディスプレイに表示し、使用者が実施の選択釦を操作した場合は、２次電池の急速充電を実施するように構成したものである。
【００６８】
従って、情報処理装置１を長期保存モードでの電池容量（約３０％）で使用していても、不意の出張などで長時間の携帯使用が発生した場合でも、情報処理装置１をシャットダウンする際に電池容量が少ないことを使用者が認知することができ、短時間で電池を高容量に充電することができるので長時間の携帯使用が保証される。
【００６９】
なお、本実施の形態において、急速充電するか否かを使用者に確認するメッセージは、必ずしもシャットダウン操作をした場合に限るものでななく、電池を長期保存モード設定時に使用者が特定の操作をすることにより、上記メッセージを表示するようにしてもよい。
【００７０】
また、本実施の形態でも、メッセージ保存部３１ａをマイコン３１の内部に設ける構成としたが、ＣＰＵ５１の内部に設ける構成であってもかまわない。
【００７１】
また、高速充電モードで充電する場合は、少しでも充電時間を短縮したい状況である。一方、充電時の電池の充電率の時間変化は一般的に充電率が上がるほど小さくなる。特に、充電率が、例えば９０％を超えるあたりから充電率の上昇の割合は大幅にダウンする。従って、高速充電モードで充電する場合は、例えば充電率が９０％になった時点で、使用者に充電完了のメッセージを出すようにしてもよい。これにより、使用者が出張などに出発する時間を短縮することができる。
【産業上の利用可能性】
【００７２】
本発明は、例えば、常置型として使用する時間が長く、通常はＡＣ電源から電源供給を受ける携帯型の情報機器一般に広く利用することが可能である。
【図面の簡単な説明】
【００７３】
【図１】本発明の実施の形態１の電気的な構成を示すブロック図
【図２】同実施の形態の動作を説明するためのフローチャート
【図３】同ディスプレイ上の表示の例を示す図
【図４】本発明の実施の形態２における情報処理装置の運転モードを説明するための図
【図５】本発明の実施の形態３の動作を説明するためのフローチャート
【図６】同ディスプレイ上の表示の例を示す図
【図７】同急速充電制御動作を説明するための図
【符号の説明】
【００７４】
１    情報処理装置
２    ２次電池
２ａ    計測・演算部
２ｂ    通信部
３    充電制御装置
３１    マイコン
３１ａ    メッセージ保存部
３２    充電制御部
３３    電力供給検知部
４ａ，４ｂ    給電端子
５    情報処理装置本体部
５１    ＣＰＵ
５２    ディスプレイ
５２ａ，５２ｂ    ダイアログ
５２ｃ    選択釦
５２ｄ    カーソル
５３    バックライト
５４    ＨＤＤ
５５    ＲＡＭ
５６    電源制御部
５７    操作部（マウス／キーボード）
【図１】
2009159749.tif 000003
【図２】
2009159749.tif 000004
【図３】
2009159749.tif 000005
【図４】
2009159749.tif 000006
【図５】
2009159749.tif 000007
【図６】
2009159749.tif 000008
【図７】
2009159749.tif 000009